Podtech/llm-jp-corpus-v4-ja_patent huggingface dataset:
(57)【要約】      （修正有）【課題】長尺な加圧アナログベルトのメモリー方法を簡素化し、便利と正確性を齎し尚且つ加圧ベルト本体の耐久性を大幅に延長させた加圧ベルトの計測表示具を提供する。【解決手段】１２センチを目安として適宜な長さにカットした伸縮性の有るメス面ファスナー２の表面に目盛４を表示し、同じ規格のオス面ファスナー３を背中合わせで面接着し、細幅のオス、メス面ファスナー一対で観音開き形式の脱落防止用ファスナーを両端に備えたことを特徴とする。【選択図】図１
0003194763.tif 000002
【実用新案登録請求の範囲】
【請求項１】
１２センチを目安として適宜な長さにカットした伸縮性の有るメス面ファスナーの表面に目盛を表示し、同じ規格のオス面ファスナーを背中合わせで面接着し、細幅のオス、メス面ファスナー一対で観音開き形式の脱落防止用ファスナーを両端に備えたことを特徴とする加圧ベルトの計測表示具。
【考案の詳細な説明】
【技術分野】
【０００１】血流制限に使用する腕や脚に巻く加圧用の長尺なアナログベルトの計測表示に関する。
【背景技術】
【０００２】体内の血流を制限して運動することで体内の筋肉を増幅、修復できるトレーニング方法が発明され近年普及し始めた。
血流制限を行うベルトは電子機器の制御を組み込んだデジタル方式と長尺ベルトの締め度合いに依って血流の多寡を判断するアナログ方式に大別される。【０００４】デジタル方式とアナログ方式の価格差は凡そ１０倍の開きが有り一般への普及は手軽さも有って圧倒的にアナログ方式の浸透が見られる。【０００５】長尺ベルトの締め加減に依って適正虚血を選択するアナログ方式の構造は伸縮するメスの面ファスナーをストレッチ素材と長尺に重ねて縫い合わせ端末に口の字型の折り返し部品である角カンを備え他方の端末に長尺ベルト上のメス面ファスナーに対応する止着目的の凡そ１５センチ位のオス面ファスナーが装着してある。
長尺ベルトの端末に固定した折り返し部品角カンの中に短い止着用オスの面ファスナーの有るもう一方の端末を通し腕、又は脚に巻いて折り返し、長尺ベルトのメス面ファスナー上に止着する。任意の止着する位置に依って虚血の強弱が判断できる。
【先行技術文献】
【０００５】
【特許文献】
【特許文献】特許第２６７０４２１号公報
【考案の概要】
【考案が解決しようとする課題】
【０００６】端末のオス面ファスナーの止着位置が角カンから遠い位置に来れば強く、近ければ弱い血流制限と成る。【０００７】一方血流の制限は被験者の血圧、呼吸、持病の容態で加圧実施の度ごとに変えなければならない。また全ての人に同じ加圧ではなく被験者が入れ替わった場合、経験者か、未経験者か、被験する人の目的、体型、体質に合わせて巻き強度を変え、血流量を調節し適正な加圧をしなければならない。この結果長尺ベルトの止着用オス面ファスナーの付いた端末の位置が頻繁に変わる事になる。加圧する都度目的に合った目印を付け位置を計測記録しなければならない。その方法は止着したオス面ファスナーを端末の境界線に貼ったり、ホワイトペンで線を引いたり、チョークで線を引く等の方法を採っている。しかしベルトのほぼ同じ位置に端末接着境界が集中するので線が重なったり、消えたり多くの目印が何の目印で有ったか分らなくなる。また線表示用のオス面ファスナーの小片が簡単に取れてしまう等目印が増えて来ると判別が困難な問題が発生する。【０００８】止着用オス面ファスナーの付いたベルト端末が長尺ベルトのほぼ同じ狭い範囲に集中して脱着されるので長尺なベルト本体の破損はこの接着ポイントだけの破損で使用不能と成りまだ長尺ベルトは十分使用できるのに廃棄される事に成る。
【課題を解決するための手段】
【０００９】１０センチから１５センチにカットした伸縮性の有るメスの面ファスナーに目盛を表示して、同寸法の伸縮性の有るオスの面ファスナーを背中合わせに面接着し、長尺ベルト上で希望の加圧量にあたる端末境界線付近に本考案具をセットする。
微妙な加圧量の増減は端末が本考案具の上を移動するので目盛を参考に保存と再現及び記録ができる。
更にこの部品の両端に配した細いオス、メスの面ファスナーで長尺ベルトの最良の位置に移動し本考案具の脱落防止の目的で抱き着いた様な形状でホールドする。
細い面ファスナーの開閉操作で目的とする圧を得られるポジションに容易に移動できる。
長尺ベルト上の加圧量ポイントはほぼ同じ位置に集中するので従来の様に長尺ベルト上のメス面のファスナーポイントが劣化して廃棄することなく、本考案具の交換だけで長尺ベルトの寿命は大幅に延長される。
【考案の効果】
【００１０】長尺ベルト上の止着端末ポイントは実行加圧力が得られる最も微妙且つ重要ポイントである。この端末に目盛を配することは単なる感から数字の目視で正確性、迅速性、記録に依るデーターの蓄積が可能である。
長尺ベルト上のメス面ファスナー１か所の劣化で廃棄することは無くなる。
【図面の簡単な説明】
【００１１】
【図１】本考案の平面図である。
【図２】本考案の下面図である。
【図３】本考案図１の装着時Ａ−Ａ’参考断面図である。
【図４】本考案の装着時側面図である。
【考案を実施するための形態】
【００１２】
【符号の説明】
【０００１５】１  本考案計測表示具本体
２  メス面ファスナー
３  オス面ファスナー
４  目盛表示
５  長尺アナログベルト
６  角カン
７  長尺ベルト上の止着用オス面ファスナー
９  長尺ベルト上に載せた伸縮性メス面ファスナー
【図１】
0003194763.tif 000003
【図２】
0003194763.tif 000004
【図３】
0003194763.tif 000005
【図４】
0003194763.tif 000006
(57)【要約】      （修正有）【課題】便器本体の規格によらず便座の取付けを可能とする便座取付装置を提供する。【解決手段】便座取付装置１０は、便器の正面に対して左右両側にそれぞれ複数の孔１０Ｈが設けられている。前記複数の孔１０Ｈの各々は、前記正面に対して平行な第１方向に沿った長さが前記正面に対して直交する第２方向に沿った長さより大きい。前記複数の孔１０Ｈは、前記第１方向に平行に並列している。【選択図】図１
0003194773.tif 000002
【実用新案登録請求の範囲】
【請求項１】
便座を便器に取り付けるための便座取付装置であって、
前記便器の正面に対して左右両側にそれぞれ複数の孔が設けられ、
前記複数の孔の各々は、前記正面に対して平行な第１方向に沿った長さが前記正面に対して直交する第２方向に沿った長さより大きく、
前記複数の孔は、前記第１方向に平行に並列している
便座取付装置。
【考案の詳細な説明】
【技術分野】
【０００１】
本考案は、便座取付装置に関する。
【背景技術】
【０００２】
従来、便器上に設置して衛生的な用便を行うために、種々の洗浄便座装置が考案されてきた。これら洗浄便座装置は、典型的には、肛門洗浄用ノズル及びビデ洗浄用ノズルを備えている。このような洗浄便座装置は、種々の方法によって、便器本体に取付けられる。例えば、特許文献１には、便座取付装置として、便器面上の前後方向の摺動と、この前後方向と直交した軸回りの傾動とを可能とするプレートが記載されている。
【先行技術文献】
【特許文献】
【０００３】
【特許文献１】特許第３０６８７７５号公報
【考案の概要】
【考案が解決しようとする課題】
【０００４】
しかしながら、本考案者らは、従来の便座取付装置は、特定の規格に則った便器本体にしか使用できないことを見出した。この問題は、特に、日本国外の便器本体に便座を取り付ける際に非常に大きな問題となる。
そこで、本考案は、便器本体の規格によらず便座の取付けを可能とする便座取付装置を提供することを目的としている。
【課題を解決するための手段】
【０００５】
本考案の一側面によると、便座を便器に取り付けるための便座取付装置であって、前記便器の正面に対して左右両側にそれぞれ複数の孔が設けられ、前記複数の孔の各々は、前記正面に対して平行な第１方向に沿った長さが前記正面に対して直交する第２方向に沿った長さより大きく、前記複数の孔は、前記第１方向に平行に並列している便座取付装置が提供される。
【考案の効果】
【０００６】
本考案によると、便器本体の規格によらず便座の取付けを可能とする便座取付装置を提供することが可能となる。
【図面の簡単な説明】
【０００７】
【図１】図１は、本考案に係る便座取付装置の一例を示す平面図である。
【図２】図２は、本考案に係る便座取付装置の使用方法の一例を示す斜視図である。
【図３】図３は、本考案に係る便座取付装置の使用方法の一例を示す斜視図である。
【図４】図４は、本考案に係る便座取付装置により取付けられた状態の洗浄便座装置の底部を示す斜視図である。
【考案を実施するための形態】
【０００８】
以下、本考案の実施形態の一例を説明する。
図１は、本考案に係る便座取付装置の一例を示す平面図である。図１では、左右方向をＸ方向とし、上下方向をＹ方向としている。Ｘ軸は、後述する便器の正面に対して平行である。Ｙ軸は、上記正面に対して垂直である。
【０００９】
図１に示す便座取付装置１０は、便器の正面に対して左右両側に、それぞれ、複数の孔１０Ｈを備えている。これら複数の孔１０Ｈの各々は、Ｘ軸に沿った長さがＹ軸に沿った長さより大きい。即ち、複数の孔１０Ｈの各々は、横長の形状を有している。また、これら複数の孔１０Ｈは、Ｘ軸に平行に並列している。即ち、複数の孔１０Ｈは、Ｙ軸方向に配列している。
以下、これら複数の孔１０Ｈの機能について説明する。図２及び図３は、本考案に係る便座取付装置の使用方法の一例を示す斜視図である。
【００１０】
この使用方法では、図２に示す通り、まず、便座取付装置１０を便器２０に取り付ける。その後、図３に示す通り、便座取付装置１０に便座３０を固定する。便座取付装置１０の便器２０への取付けは、例えば、ねじ１１と留め具１２との組み合わせにより行う。
【００１１】
上述した通り、便座取付装置１０は、便器の正面に対して左右両側に、それぞれ、複数の孔１０Ｈを備えている。そして、これら複数の孔１０Ｈの各々は、Ｘ軸に沿った長さがＹ軸に沿った長さより大きい。したがって、留め具１２同士の距離に応じて、ねじ１１による取付けを任意の位置で行うことができる。即ち、便座取付装置１０は、便器本体の規格に依存しない便座の取付けを可能にする。
【００１２】
また、上述した通り、便座取付装置１０に設けられた複数の孔１０Ｈは、Ｘ軸に平行に並列している。それゆえ、Ｙ軸方向に配列した孔１０Ｈのうち適切なものを選んで使用することにより、便器２０と便座３０とのサイズのバランスに合わせて、適切な位置に便座３０を配置することが可能となる。即ち、便座取付装置１０は、上記の孔１０Ｈの配列によっても、便器本体の規格に依存しない便座の取付けを可能にしている。
【００１３】
図４は、本考案に係る便座取付装置により取付けられた状態の洗浄便座装置の底部を示す斜視図である。図４に示すように、便座取付装置１０を用いることにより、ねじ１１及び留め具１２の間隔及び位置を任意に設定することができる。これにより、便器本体の規格に依存しない便座の取付けが可能となる。
【００１４】
なお、以上の各図に示す便座取付装置１０では、左右にそれぞれ６個ずつの孔１０Ｈが設けられた態様を例示しているが、孔１０Ｈの数は、左右それぞれに２個以上設けられていれば、特に制限はない。例えば、孔１０Ｈは、左右それぞれに、２個〜８個の範囲の任意の数で設けてもよい。
【符号の説明】
【００１５】
１０…便座取付装置、１０Ｈ…孔、１１…ねじ、１２…留め具、２０…便器、３０…便座
【図１】
0003194773.tif 000003
【図２】
0003194773.tif 000004
【図３】
0003194773.tif 000005
【図４】
0003194773.tif 000006
(57)【要約】      （修正有）【課題】機械を利用して薬液調合／充填作業を効率よく行い、簡単で正確に作業し、労働強度を大幅に軽減することが出来る薬液調合／充填機用注射器を提供する。【解決手段】注射器は薬液調合／充填機に装着するために、注射器の外筒１の後端に固定翼４を設け、液調合／充填機の注射器外筒ホルダーの固定槽に固定する。内筒２の後端を開口にし、内筒２の後端部に押圧翼５を設け、押圧翼５は薬液調合／充填機のスライダーの押圧槽に嵌入することができ、内筒２は上記のスライダーと連動して、外筒１内に直線往復スライディングして、薬液調合／充填を行う。【選択図】図１
0003194753.tif 000002
【実用新案登録請求の範囲】
【請求項１】
外筒と外筒に嵌合挿入して摺動可能の押し子とする中空、且つ後端開口の内筒があり、外筒と気密を保つガスケットは内筒の先端部に固定し、外筒の先端にスリップタイプまたはロックタイプの筒先からなる特徴とする薬液調合／充填機用注射器。
【請求項２】
中空、且つ後端開口の内筒の後端部に押圧翼があり、押圧翼は薬液調合／充填機のスライダーの押圧槽に嵌入し、内筒はライダーと連動して、内筒内に直線往復スライディングすることができ、押圧翼の前に第２押圧翼があり、薬液調合／充填機のスライダーの押圧槽の前壁が押圧翼と第２押圧翼の隙間に嵌入することが出来る請求項１に記載する薬液調合／充填機用注射器。
【請求項３】
中空、且つ後端開口の内筒の先端部に外筒と気密を保つガスケットは注入先の抵抗を対抗できる気密を保つ強度を持っているゴムまたは樹脂等のエラストーマからなる請求項１に記載する薬液調合／充填機用注射器。
【請求項４】
中空、且つ後端開口の内筒の先端部にあり、外筒と気密を保つガスケットの直後に、ガスケットより外径がやや小さい円形のガスケットストーバーが内筒と一体に成型する請求項１に記載する薬液調合／充填機用注射器。
【請求項５】
内筒の外壁また内壁に複数の強化リブがあり、複数の強化リブは角度均等に内筒壁の長軸方向に配置し、内筒と一体に成型する請求項１に記載する薬液調合／充填機用注射器。
【請求項６】
中空、且つ後端開口の内筒の外壁また内壁に強化リブがない請求項１に記載する薬液調合／充填機用注射器。
【請求項７】
外筒の後端開口部に薬液調合／充填機の外筒固定翼固定槽に挿入することが出来る外筒固定翼がある請求項１に記載する薬液調合／充填機用注射器。
【請求項８】
１０ｍｌ、２０ｍｌ、３０ｍｌ、５０ｍｌ、１００ｍｌ容量の樹脂性またはガラス製及び金属性の請求項１から請求項７までに記載する薬液調合／充填機専用注射器。
【考案の詳細な説明】
【技術分野】
【０００１】  本考案は主に医療分野に使用する薬液調合／充填機の専用注射器に関わり、病院内の薬液調合及び輸液バッグ、バルン式輸液装置及び陰圧式輸液装置に薬液の充填に使用する注射器に関するものである。
【背景技術】
【０００２】  現在、病院内の薬液調合及び輸液バッグ、バルン式輸液装置及び陰圧式輸液装置に薬液の充填は殆ど市販の注射器で手動により行うことが主流である。
【考案の概要】
【考案が解決しようとする課題】
【０００３】  薬液調合及び輸液バッグ、バルン式輸液装置及び陰圧式輸液装に薬液の充填作業は市販の注射器で手動により行う場合には、効率がひくく、労働強度が高い問題がある。機械を利用して上記の作業を行うために、機械にセットできるように市販の注射器を改良する必要がある。
【課題を解決するための手段】
【０００４】  本考案の注射器は薬液調合／充填機に装着するために、注射器の外筒を薬液調合／充填機に固定する。注射器内筒を薬液調合／充填機のスライダーと連動させ、直線往復スライディングして、薬液調合／充填を行う。
【考案の効果】
【０００５】  本考案の注射器を薬液調合／充填機に装着して、機械を利用して薬液調合／充填作業を効率よく行い、簡単で正確に作業し、労働強度を大幅に軽減することが出来る。
【図面の簡単な説明】
【０００６】
【図１】ａ本考案の実施形態に係る薬液調合／充填機専用注射器の立体図。ｂ本考案の実施形態に係る薬液調合／充填機専用注射器の断面図。
【図２】ａ本考案の実施形態に係る薬液調合／充填機専用注射器外筒の平面図。ｂ本考案の実施形態に係る薬液調合／充填機専用注射器外筒の後視断面図。
【図３】ａ本考案の実施形態に係る薬液調合／充填機専用注射器内筒の平面図。ｂ本考案の実施形態に係る薬液調合／充填機専用注射器内筒の前視断面図。ｃ本考案の実施形態に係る薬液調合／充填機専用注射器内筒の後視断面図。
【考案の実施形態】
【０００７】    本考案の注射器は薬液調合／充填機に装着するために、注射器の外筒の後端に固定翼を設け、液調合／充填機の注射器外筒ホルダーの外筒固定翼槽に固定する。内筒の後端を開口にし、内筒の後端部に押圧翼を設け、押圧翼は薬液調合／充填機のスライダーの押圧槽に嵌入することができ、内筒はライダーと連動して、外筒内に直線往復スライディングして、薬液調合／充填を行う。
【実施例】
【０００８】  以下、添付図面に従って一実施例を説明する。図１は本考案の薬液調合／充填機の２０ｍｌ容量専用注射器の立体図と断面図である。図中の１は外筒、２は外筒に嵌合挿入する押し子とする中空、且つ後端開口の内筒、３は外筒のロックタイプの筒先、４は外筒の固定翼、５は内筒の押圧翼、６は内筒の第２押圧翼、７は内筒の気密を保つガスケット、８はガスケットストーバー、９は内筒の強化リブである。【０００９】  図２は前記構成の専用注射器外筒の平面図と後視断面図である。外筒の先端にロックタイプの筒先３があり、外筒の後端開口部に固定翼４があり、固定翼４は薬液調合／充填機の注射器外筒ホルダーにある注射器の外筒固定翼槽に挿入して固定することが出来る。【００１０】  図３は前記構成の専用注射器内筒の平面図と断面図である。中空、且つ後端開口の内筒２の後端部に押圧翼５があり、押圧翼は薬液調合／充填機のスライダーの押圧槽に挿入して固定することができる。押圧翼の前に第２押圧翼６があり、薬液調合／充填機のスライダーの押圧槽の前壁が押圧翼５と第２押圧翼６の隙間に嵌入することが出来る。【００１１】  前記構成の注射器内筒の先端部に外筒と気密を保つガスケットは図１と図３の７である。当該ガスケットは注入先の抵抗を対抗できる気密を保つ強度を持っているゴムまたは樹脂等のエラストーマからなる。【００１２】  外筒と気密を保つガスケットの直後に、ガスケットより外径がやや小さい円形のガスケットストーバー８が内筒と一体に成型する【００１３】  図３に示したように、内筒の外壁に３つの強化リブ９があり、強化リブは角度均等に内筒壁の長軸方向に配置し、内筒と一体に成型する。
【図１】
0003194753.tif 000003
【図２】
0003194753.tif 000004
【図３】
0003194753.tif 000005
(57)【要約】      （修正有）【課題】塵芥車の塵芥収容箱内の火災を早期に検知して、運転席に知らせる塵芥車の塵芥収容箱内火災早期検知装置を提供する。【解決手段】塵芥収容箱３と、塵芥収容箱の後部上端側に軸支された塵芥投入箱４との連通した部分にある隙間の近傍に、火災による煙を滞留させるための集煙フード７を取り付けた煙センサーユニット６を装着し、運転席２に、煙センサーユニットからの信号を受信する警報装置５を装着した。【選択図】図１
0003194760.tif 000002
【実用新案登録請求の範囲】
【請求項１】
塵芥車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥車において、該塵芥収容箱と、該塵芥収容箱の後部上端側に軸支された前記塵芥投入箱との連通した部分にある隙間の近傍に、火災による煙を滞留させるための集煙フードを取り付けた煙センサーユニットを装着し、運転席に、該煙センサーユニットからの信号を受信する警報装置を装着したことを特徴とする塵芥車の塵芥収容箱内火災早期検知装置。
【考案の詳細な説明】
【技術分野】
【０００１】  本考案は、塵芥車の塵芥収容箱内において火災が発生した場合に、早期に火災発生を検知して、火災の発生を運転席に知らせる装置に関する。
【背景技術】
【０００２】  従来の塵芥車の塵芥収容箱内火災の検知装置は、特許文献１には、塵芥収容箱と、塵芥収容箱の後部上端側に軸支された塵芥投入箱との連通した部分にある隙間上部に煙センサーを設置した検知装置がある。
【先行技術文献】
【特許文献】
【０００３】
【特許文献１】特開２００３−２６３０３号公報
【考案の概要】
【考案が解決しようとする課題】
【０００４】  しかしながら、特許文献１の場合は、前記検知装置は、前記塵芥収容箱内で発生した火災による煙が前記隙間から外部へ出たところを前記煙センサーで検知して、運転席に火災の発生を知らせるとしているが、構造的に、走行中や風がある場合には、煙センサーの煙検知部分に煙が滞留しないため、検知ができない場合があり、火災の初期消火の機会を逸する。【０００５】  以上のことから、本考案は、塵芥車の塵芥収容箱内の火災を早期に検知して、運転席に知らせる塵芥車の塵芥収容箱内火災早期検知装置を提供することを目的とする。
【課題を解決するための手段】
【０００６】  以上の課題を解決するために、請求項１の考案は、塵芥車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥車において、該塵芥収容箱と、該塵芥収容箱の後部上端側に軸支された前記塵芥投入箱との連通した部分にある隙間の近傍に、火災による煙を滞留させるための集煙フードを取り付けた煙センサーユニットを装着し、運転席に、該煙センサーユニットからの信号を受信する警報装置を装着したことを特徴とする塵芥車の塵芥収容箱内火災早期検知装置である。
【考案の効果】
【０００７】  請求項１の考案によれば、塵芥収容箱内の火災が発生すると、該塵芥収容箱と、該塵芥収容箱の後部上端側に軸支された塵芥投入箱との連通した部分にある隙間から煙が外部に出ようとするので、該隙間の近傍に、火災による煙を滞留させるための集煙フードを取り付けた煙センサーユニットを装着したことにより、走行中であっても、また、風があっても、該煙センサーユニットの煙検知部分に煙が滞留するため、早期に検知できて、運転席に火災の発生を知らせることができる。
【図面の簡単な説明】
【０００８】
【図１】本考案の一実施形態を示す塵芥収集車の概略側面図である。
【考案を実施するための形態】
【０００９】  本考案に係る一実施形態を、図１を参照して以下説明する。
【実施例】  本考案の実施の形態に係る塵芥車１は、回転板タイプを示しており、塵芥収容箱３と、塵芥収容箱３の後方開口部に連通する塵芥投入箱４を備えている。図中、２は運転席、８は塵芥投入箱４の中にある塵芥投入装置と塵芥収容箱３とを遮蔽する遮蔽板を示す。
本考案の実施の形態においては、塵芥収容箱３と、塵芥収容箱３の後部上端側に軸支された塵芥投入箱４との連通した部分にある隙間の近傍に、火災による煙を滞留させるための集煙フード７を取り付けた煙センサーユニット６を装着し、運転席２に、煙センサーユニット６からの信号を受信する警報装置５を装着した。【００１０】  以上の構成の塵芥収容箱内火災早期検知装置は、次のような動作を行う。塵芥収容箱３内で、火災が発生した場合、火災による煙は、塵芥収容箱３と、塵芥収容箱３の後部上端側に軸支された塵芥投入箱４との連通した部分にある隙間を通って外部に出ようとする。この隙間の近傍に、火災による煙を滞留させるための集煙フード７を取り付けた煙センサーユニット６を装着したことにより、走行中であっても、また、風があっても、煙センサーユニット６の煙検知部分に煙が滞留するため、早期に検知できて、運転席２に装着した警報装置５の警報を鳴らすことにより、運転席２に、火災の発生を早期に知らせることができる。【００１１】  上述した実施の形態では、火災による煙を滞留させるための集煙フード７を取り付けた煙センサーユニット６を装着したが、火災による煙を煙センサーユニット６の煙検知部分に滞留させることができる構造なら、集煙フード７を取り付けなくてもよい。また、本実施の形態では、無線連動式の煙センサーユニット６を使用したが、有線方式でもよい。また、本実施の形態では、煙センサーユニット６を２個装着したが、１個でもよい。しかしながら、早期の検知のためには、２個以上が望ましい。
本考案の実施の形態に係る塵芥車１は、回転板タイプを示したが、プレスタイプの塵芥車にも適用できる。
【符号の説明】
【００１２】１  塵芥車
２  運転席
３  塵芥収容箱
４  塵芥投入箱
５  警報装置
６  煙センサーユニット
７  集煙フード
８  遮蔽板
【図１】
0003194760.tif 000003
(57)【要約】      （修正有）【課題】女性が生理中でも遠慮せず温かいお風呂にはいれ、使用したあとも手軽に水洗いができ、洗濯機でも洗え、しかも、乾きがはやい生理用ショーツを提供する。【解決手段】ブラパッド２を生理用ナプキンの形に切断し、それをガーゼ３で２重に包み、縫い合わせたものを、スイムパンツの内側に取り付けた。【選択図】図１
0003194733.tif 000002
【実用新案登録請求の範囲】
【請求項１】
考案は、女性の大半が悩む問題に解決をしようと考えた物である。本考案は、濡れていても大丈夫な素材スイムパンツを選び、吸収のいい素材のパッドをブラジャー使用時に使う、ブラパッドを選びだし、生理用ナプキンの形に切断をし、ガーゼ素材の生地で２重に包んで、二つを縫い合わせ、スイムパンツに縫いつけてみた。こうする事により、本考案したものをはいて入浴すると、経血がお風呂に漏れ出す事がなく、女子学生たちが、修学旅行中、突然生理になっても、みんなと同じように、遠慮せず大浴場に入れるのである。寒い冬にも考案したものを着用して、生理中であってもお風呂に入れば、ゆったりとして、暖まることができ、簡単に水洗いをしたら、洗濯機でも洗えるのである。しかも乾くのがはやい。
生理中でも、お風呂に入れる生理用シーツは、今まで造られていなかったのである。
【考案の詳細な説明】
【考案の概要】
【技術分野】
【０００１】本考案は、女性が生理中でも、お風呂に入れるというショーツである。スイムパンツに吸収のよいパッドをガーゼで２重に包み、取り付けたものである。
【背景技術】
【０００２】従来女性は、生理中お風呂に入る時、市販のタンポンを使用するか、シャワーのみで済ますことが多く、お風呂に入れる生理用ショーツはなかった。
【考案が解決しようとする課題】
【０００３】寒い季節の時など、温かいお風呂で温まりたい時でも生理中の時は遠慮しがち。大量の経血の時は、市販品のタンポン等を使用するか、シャワーで済ますか、お風呂に入るのを諦めるかしかなかった。本考案は、経血を気にせず、お風呂にゆっくり入れるように、考案されたものである。
【考案を解決するための手段】
【０００４】水や、お湯に入ってもいい素材のショーツ本体１に、吸収の良いパッド２をガーゼ３で２重に包み、ショーツ本体１に取り付けた。何度洗っても大丈夫、躰にフィットするので、経血が漏れにくく、洗濯をしても乾きがはやい。
【考案の効果】
【０００５】本考案のショーツ本体１をはけば、お風呂からあわてて出ることなく、ゆっくりとお風呂に入れるようになる。タンポンが嫌いな人にも簡単に使用できる。
【図面の簡単な説明】
【０００６】
【図１】ショーツを示した平面図である。
【図２】パッドをガーゼに取り付けた平面図である。
【図３】ショーツの内側を示した展開図である。
【考案を実施するための形態】
【０００７】以下、本考案の実施の形態について説明する。
（イ）パッド２にガーゼ３を包み、パッド取り付け線５で縫い込む。
（ウ）ショーツ本体１に、バイアステープ４で、Ａ取り付け線６に沿って、パッド２を縫い込んだガーゼ３を取り付ける
【符号の説明】
【０００７】  １ショーツ本体
２パッド
３ガーゼ
４バイアステープ
５パッド取り付け線
６Ａ取り付け線
【図１】
0003194733.tif 000003
【図２】
0003194733.tif 000004
【図３】
0003194733.tif 000005
【手続補正書】
【提出日】平成26年9月17日(2014.9.17)
【手続補正１】
【補正対象書類名】実用新案登録請求の範囲
【補正対象項目名】全文
【補正方法】変更
【補正の内容】
【実用新案登録請求の範囲】
【請求項１】
本考案は、女性の大半が生理中に、お風呂に入りにくいという悩みに解決をしようと、考案した生理用ショーツであり、従来の生理用ショーツでは、お風呂に入れず女性は我慢をするか、タンポンを使用するかであったが、本考案のショーツは、ブラパッドを生理用ナプキンの形に切断し、それをガーゼで２重に包み、縫い合わせたものを、スイムパンツの内側に取り付けた構造となっており、これにより、
（１）生理用ショーツは、水に濡れてもよい組み合わせとなっている。
（２）洗濯機で洗える構造になっている。
（３）洗濯後、干しても乾きが早い素材を使用している。
以上の（１）〜（３）の構成からなることを特徴とする、お風呂に入れる生理用ショーツである。
(57)【要約】      （修正有）【課題】技術がない誰にでも、希望の長さにまっすぐ、正確で確実な前髪の散髪が安全に簡単に短時間でできる前髪散髪シートを提供する。【解決手段】透明プラスチックのパネルを短辺上部から３ｃｍ前後部分を山折１にし、そこから３ｍｍ下を谷折２にし、そこから３ｍｍ下を山折３にすることによって形成した三角の溝を有する。溝のへこんだ部分に長さを決めるためのガイドとして着色部を有する。【選択図】図１
0003194737.tif 000002
【実用新案登録請求の範囲】
【請求項１】
透明プラスチックパネルにハサミを滑り込ませて、髪を切るための溝を有することを特徴とする前髪散髪シート。
【請求項２】
前記溝のへこんだ部分に長さを決めるためのガイドとして着色部を有することを特徴とする請求項1に記載の前髪散髪シート。
【考案の詳細な説明】
【技術分野】
【０００１】
前髪散髪用ガイドパネルに関するものである。
【背景技術】
【０００２】
前髪を手でつまみ自分の勘を頼りに切るので、失敗したり何度も切りなおしていた。ハサミが目に当たりそうで危険であり、見えにくく、長さをそろえるのも困難で、顔にもこまかい毛がたくさん付くので不快であった。
【先行技術文献】
【特許文献】
【０００３】
【特許文献１】実用新案登録第3017216号公報
【考案の概要】
【考案が解決しようとする課題】
【０００４】
家庭内での散髪ではハサミ等の刃物を直接肌に触れるように使用してることが多く、傷をつける恐れもあり、またその恐れにより目を閉じての切ることが多くまっすぐにきれいに髪を切るのが難しい。さらに目や口等に切った毛髪が入り不快になる事もある。
【課題を解決するための手段】
【０００５】
以上の課題を鑑み、本考案者は刃物が触れることなくきちんと位置を確認できるように透明プラスチックパネルにハサミを滑り込ませて、髪を切るための溝を有することを特徴とする前髪散髪シートを提供する。さらに溝のへこんだ部分に長さを決めるためのガイドとして目視しやすい着色部を有するを特徴とする前髪散髪シートを提供する。
【考案の効果】
【０００６】
技術がない誰にでも、希望の長さにまっすぐ、正確で確実な作業が安全に簡単に短時間でできる。安全に切るためにプラスチックパネルで顔面をカバーし、切り落とした細かい毛髪も目や口等に入らない。ハサミを使うが安心して作業ができる。簡単に正確に切るためにハサミ等を入れる溝をつけ、さらに目視しやすくするため溝部分を着色してある。その溝をハサミ等のガイドにする。透明なパネルにする事によって、自分で切る時は鏡ごしに見え、他人の前髪を切る時も眉や目の位置をしっかり確認することができる。
【図面の簡単な説明】
【０００７】
【図１】正面図
【図２】側面拡大図
【考案を実施するための形態】
【０００８】
透明プラスチック（27cm×20cm前後の長方形）のパネルを短辺上部から3cm前後部分を山折1、そこから3mm下を谷折2、そこから3mm下を山折3にすることによって、三角の溝を作り溝の底部に着色し前髪を切りたい長さのガイドとする。
【符号の説明】
【０００９】
１．山折り
２．谷折り（着色部）
３．山折り
【図１】
0003194737.tif 000003
【図２】
0003194737.tif 000004
【手続補正書】
【提出日】平成26年9月4日(2014.9.4)
【手続補正１】
【補正対象書類名】実用新案登録請求の範囲
【補正対象項目名】全文
【補正方法】変更
【補正の内容】
【実用新案登録請求の範囲】
【請求項１】
透明プラスチックのパネルを短辺上部から３ｃｍ前後部分を山折にし、そこから３ｍｍ下を谷折にし、そこから３ｍｍ下を山折にすることによって形成した三角の溝を有することを特徴とする前髪散髪シート。
【請求項２】
前記溝のへこんだ部分に長さを決めるためのガイドとして着色部を有することを特徴とする請求項１に記載の前髪散髪シート。
(57)【要約】      （修正有）【課題】常時は防災頭巾カバーに防災頭巾を収納して座布団、背もたれ用クッションとして使用し、地震や火災等の非常時には、防災頭巾を持ち運びできる手提げバッグ、防災頭巾を取り出しショルダーバッグとして使用できる防災頭巾カバーを提供する。【解決手段】従来では、防災頭巾カバーを座布団、背もたれ用クッションとしてしか使用することしかできず、また、持ち運びすることができなかったが、持ち手部分１を取り付け、開閉できる加工２を施すことにより手提げバッグとして使用でき、防災頭巾カバーに取り付け加工を施すことによりショルダーバッグとして使用できる。【選択図】図１
0003194735.tif 000002
【実用新案登録請求の範囲】
【請求項１】
地震や火災等の非常時には、防災頭巾を持ち運びできる手提げバッグ、防災頭巾をり出しショルダーバッグとして使用できる椅子用防災頭巾カバー兼用手提げバッグ、座布団、背もたれ用クッション、ショルダーバッグ
【請求項２】
手提げバッグと使用できるように持ち手を防災頭巾カバーの上部中央部分に備え持ち運びできるように加工が施された請求項１に記載の防災頭巾カバー
【請求項３】
ショルダーバッグとして使用できるようにショルダーベルト部分の加工を施した請求項１、請求項２に記載の防災頭巾カバー
【請求項４】
座布団として使用し椅子からずれ落ちないように加工を施した請求項１、請求項２、請求項３に記載の防災頭巾カバー
【請求項５】
背もたれクッションとして使用ができるように加工を施した請求項１、請求項２、請求項３、請求項４に記載の防災頭巾カバー
【考案の詳細な説明】
【技術分野】
【０００１】本考案は、座布団、背もたれ用クッション、ショルダーバッグ・手提げバッグに兼用することができる防災頭巾カバーの改良に関するものである。
【背景技術】
【０００２】従来は、椅子の背部又は座部に、取り付けることができる防災頭巾カバーであったが、持ち運びするための機能、手提げバッグ、ショルダーバッグとして使用できる防災頭巾カバーはなく使用用途が限定されていた。
【先行技術文献】
【特許文献】
【０００３】
【非特許文献１】実願２００５−１２９２（Ｕ２００５−１２９２）防災頭巾カバー
【考案の概要】
【考案が解決しようとする課題】
【０００４】防災頭巾カバー兼座布団・背もたれ用クッション以外にも使用できるように商品を開発した。
【課題を解決するための手段】
【０００５】本考案は、従来の防災頭巾カバーに、手提げバッグの持ち手部分、ショルダーバッグのショルダーベルト部分の加工を施した。
【考案の効果】
【０００６】この考案により、手提げバッグ、ショルダーバッグとして使用できる。
【図面の簡単な説明】
【０００７】
【図１】本考案を実施するための手提げバッグの図である。
【図２】本考案を実施するためのショルダーバッグの図である。
【考案を実施するための形態】
【０００８】
【実施例１】
【０００９】図１は、本考案の手提げバッグとして使用できるように、
防災頭巾カバーの上部中央部分に持ち手部分が取り出せるように加工を施した図である。
【実施例２】
【００１０】図２は、本考案のショルダーバッグとして使用できるようにベルト部分の加工を施した図である。
【産業上の利用可能性】
【００１１】本考案は、防災頭巾カバー兼用座布団・背もたれクッション・手提げバッグ・ショルダーバッグを製造する産業で利用される。
【符号の説明】
【００１２】１  手提げバッグとして使用する際の持ち手部分
２  収納口（面ファスナーで開閉できるようになっており持ち手を収納できる）
３  ショルダーベルト
【図１】
0003194735.tif 000003
【図２】
0003194735.tif 000004
【手続補正書】
【提出日】平成26年9月24日(2014.9.24)
【手続補正１】
【補正対象書類名】実用新案登録請求の範囲
【補正対象項目名】全文
【補正方法】変更
【補正の内容】
【実用新案登録請求の範囲】
【請求項１】
防災頭巾カバーに防災頭巾を収納できるように収納部が形成された本体と、防災頭巾が防災頭巾カバーの収納部に収納されると座布団としての使用状態となることを特徴とする防災頭巾カバー兼用椅子用座布団
【請求項２】
請求項１に記載の防災頭巾カバー兼用椅子用座布団であって、
椅子から座布団がずれ落ちないように防災頭巾カバーのかぶせ蓋上部の両サイドに椅子の背もたれ部分の周囲に固定できるベルトを縫い付けたことを特徴とする請求項１に記載の防災頭巾カバー兼用椅子用座布団
【請求項３】
請求項１又は２のいずれかに記載の防災頭巾カバー兼用椅子用座布団であって、
持ち手を防災頭巾カバーの上部中央部分に縫い付け、持ち運びできることを特徴とする防災頭巾カバー兼用椅子用座布団
【請求項４】
請求項１〜３のいずれか一項に記載の防災頭巾カバー兼用椅子用座布団であって、
ショルダーバッグとして使用できるようにベルトを防災頭巾カバーの蓋部分の上部両サイドに縫い付けたことを特徴とする防災頭巾カバー兼用椅子用座布団
【請求項５】
請求項１〜４のいずれか一項に記載の防災頭巾カバー兼用椅子用座布団であって、
背もたれクッションとして椅子からずれ落ちることなく使用ができるように防災頭巾カバーの背面に椅子の背もたれ部分を被せることができるように袋口を設け椅子に固定できることを特徴とする防災頭巾カバー兼用椅子用座布団
(57)【要約】      （修正有）【課題】個別に使い分けができ、洗濯時間も短縮できるドラムを２つ装備した一体型の全自動洗濯機を提供する。【解決手段】全自動洗濯機本体１に、２つのドラム２と３を縦または横に設け、操作パネル４、５も各々個別に設ける。水道管引込み６、電源コンセント７、排水管８は従来の全自動洗濯機と同様の取扱とする。【選択図】図１
0003194738.tif 000002
【実用新案登録請求の範囲】
【請求項１】
全自動洗濯機本体一つの中にドラムを２つ設ける。
【請求項２】
ドラムの備え付け方式は、縦または横に２段方式とする。
【請求項３】
ドラム２つの大きさは同等でなくても構わない。（大小でも可）
【請求項４】
この全自動洗濯機で使用する水道・電力・排水は、従来のドラム１つ装備の全自動洗濯機と同様な取扱いである。
【請求項５】
この全自動洗濯機を使用する時は、各々のドラムで洗濯等が出来るように、各々に操作出来るようにする。
【請求項６】
この全自動洗濯機は、衣類乾燥機能がついたものも含まれる。
【考案の詳細な説明】
【考案分野】
【０００１】この考案は全自動洗濯機本体にドラムが２つ装備した一体型の洗濯機である。
【考案背景】
【０００２】従来、全自動洗濯機はドラムが１つしか装備されていなかった。
【先行出願文献】
【出願文献】
【０００３】
【出願文献１】
実開平７−３５８７  号公開
【考案の概要】
【考案が解決しようとする課題】
【０００４】これまでの全自動洗濯機は、ドラムが１つしか装備されておらず、同居家族間、またペットを飼っている家庭において、ドラムの共有をせざるを得ない状況であった。
また、日本人の一般家庭環境（親子・夫婦間での洗濯物に対する生理的な感情の違い、清潔感度の個人差等）が近年変化してきたことにより、家族間での洗濯物の使い分けが出来ない状況である。
あと、洗濯物の汚れ度合い、衣類の種類（下着と下着以外、白色と色物、毛玉が付くものとそれ以外等）による使い分けも出来ない状況である。
さらに、洗濯の回数もドラム１つだと、数回に分けて行わざるを得なかった。
本考案は、以上のような欠点をなくすために提供されるものである。
【考案の効果】
【０００５】本考案は、全自動洗濯機本体において、２つのドラムを装備することにより、個別に使い分けが出来ることが可能となり、また時間短縮の面においても効果的である。
【図面の簡単な説明】
【０００６】
【図１】本考案の、縦に２つドラムが装備されている図である。
【図２】本考案の、横に２つドラムが装備されている図である。
【考案を実施するための形態】
【０００７】以下、本考案を実施するための形態について説明する。
全自動洗濯機の本体に、ドラムを縦又は横に２つ装備する。
本考案は以上のような構造である。
本考案を使用する時は、各々のドラムで洗濯が出来るように、各々に操作出来るようにする。
【符号の説明】
【０００８】▲１▼  本体
▲２▼  ドラム１
▲３▼  ドラム２
▲４▼  操作パネル１
▲５▼  操作パネル２
▲６▼  水道引込み管
▲７▼  電源コンセント
▲８▼  排水管
【図１】
0003194738.tif 000003
【図２】
0003194738.tif 000004
【手続補正書】
【提出日】平成26年9月12日(2014.9.12)
【手続補正１】
【補正対象書類名】実用新案登録請求の範囲
【補正対象項目名】全文
【補正方法】変更
【補正の内容】
【実用新案登録請求の範囲】
【請求項１】
全自動洗濯機本体一つの中にドラムを２つ設けることを特徴とする全自動洗濯機。
【請求項２】
前記ドラムの備え付け方式は、縦または横に２段方式とすることを特徴とする請求項１に記載の全自動洗濯機。
【請求項３】
前記ドラム２つの大きさは同じ又は同じでないことを特徴とする請求項１に記載の全自動洗濯機。
【請求項４】
前記ドラム２つで稼働する際の、使用する水道・電力・排水のホース・配管は、１つとすることを特徴とする請求項１に記載の全自動洗濯機。
【請求項５】
前記ドラム２つで稼働する際、各々のドラムで洗濯等が出来るように各々に操作出来るようにすることを特徴とする請求項１に記載の全自動洗濯機。
【請求項６】
前記ドラム２つで稼働する際、各々のドラムで衣類乾燥機能が出来ることを特徴とする請求項１に記載の全自動洗濯機。
(57)【要約】      （修正有）【課題】食器洗い機（食洗機）で洗うことで衛生的に使い続けられる歯ブラシを提供する。【解決手段】歯ブラシの本体部位を耐熱素材で構成し、毛を耐熱形状記憶素材で作成することで、歯ブラシを食器洗い機で洗浄できるようになり、衛生的に利用できる。また、毛が形状記憶素材であるため、食器洗い機のお湯の熱によって、毛先の広がりを抑える利点もある。歯ブラシを業務用もしくは家庭用食器洗い機で洗うことで気軽に衛生的な歯ブラシを使うことができる。【選択図】図１
0003194744.tif 000002
【実用新案登録請求の範囲】
【請求項１】
歯ブラシのハンドルおよびネック、ヘッドに至るすべての部位を耐熱素材（プラスチックなど）で構成することと、歯ブラシの毛を耐熱形状記憶素材（ナイロンなど）で作成することと、食器洗い機での洗浄により、歯ブラシを衛生的に利用すること。
【考案の詳細な説明】
【考案の概要】
【０００１】
本考案は、食器洗い機（食洗機）で洗うことで衛生的に使い続けられる耐熱性素材および形状記憶素材を用いた歯ブラシである。
【考案が解決しようとする課題】
【０００２】
歯ブラシは口臭衛生のために日常的に使用するが、湿度が高い水回りなどにて、常温状態で放置しておくことが多い。しかしこれでは、雑菌が繁殖し、衛生的に良くない。とりわけ、子供や老人、病人など、免疫機能が低下している状態で不衛生な歯ブラシを口に入れると、中毒症状などが懸念される。
【課題を解決するための手段】
【０００３】
そこで本考案では、歯ブラシのハンドルおよびネック、ヘッドに至る部位を耐熱素材（プラスチックなど）で構成し、毛を耐熱形状記憶素材（ナイロンなど）で作成する。これにより、歯ブラシを食器洗い機で洗浄できるようになる。定期的な食器洗い機での洗浄により、歯ブラシは消毒され、衛生的に利用することができる。
【考案の効果】
【０００４】
本考案の歯ブラシは、業務用および家庭用食器洗い機を使い、免疫力の低下した医療患者のほか、家庭でも気軽に衛生的な歯ブラシを使うことができる。また、歯ブラシの毛が形状記憶素材でできていることにより、熱を加えることで毛先の広がりを抑える利点もある。
【図面の簡単な説明】
【０００５】
【図１】図１は歯ブラシの構造を説明した図である。
【実施例１】
【０００６】
医療機関や老人ホーム、老人福祉施設などで、免疫力の低下した人に、食器洗い機で定期的に洗浄することで、衛生的な歯ブラシを提供できる。
【実施例２】
【０００７】
家庭において、食器洗い機で定期的に洗浄することで衛生的な歯ブラシを提供できる。
【図１】
0003194744.tif 000003
【手続補正書】
【提出日】平成26年10月12日(2014.10.12)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのハンドルおよびネック、ヘッドに至るすべての部位を耐熱素材で構成し、歯ブラシの毛を耐熱形状記憶素材で作成したことを特徴とする歯ブラシ。
(57)【要約】      （修正有）【課題】音色が出るネックレスのペンダントトップを提供する。【解決手段】磨き上げた貝３の胴体に音感出口透孔８を多数設け、上方に連結Ｃカン９を構成して、貝の内部４に球体１に穴２を穿ってなる球を内部投入し、アルミ盤５にて入口を覆い蓋６を全面固着してなるペンダントトップであり、動作する事により音色を聞くおもしろさを提供する。【選択図】図１
0003194749.tif 000002
【実用新案登録請求の範囲】
【請求項１】
貝の胴体に多数の透孔を設け、上方に連結Ｃカンを設けて貝本体を構成し、これに球体に穴を穿ってなる球を内部に投入し、アルミ盤にて入口を覆い蓋を全面固着してなるネックレスのペンダントトップ。
【考案の詳細な説明】
【技術分野】
【０００１】本考案は、音の出る事を特徴とするネックレスのペンダントトップに関する。
【背景技術】
【０００２】従来ネックレス本体は、金または金属製・チェーン製・皮革製等で構成されていた。【０００３】前記これに磁気を連結なして磁気ネックレスとしても構成されていた。【０００４】次に本体ネックレスの最下端には、金属製彫物リング・ダイヤリング・ビーズ・パール・ロゴハート・ジュエリー及びポリウレタン樹脂リング等を連結金具で連結してペンダントトップとしていた。【０００５】奇麗であるがゆえに眺めるも、手で触って観る事が無い弱点があった。【０００６】手に取り面白さを現出する事を目的とした考えが従来なく意識されていなかった。【０００７】人体前面に於けるペンダントトップの美は、加工技術による物品でなく、天然の追求加工品が面白く、且つ音色を聞く事が出来ることを提供する。
【考案の概要】
【考案が解決しようとする課題】
【０００８】ペンダントトップに使用する素材は、光輝く物品が多数であり、首もとをエレガントに飾っている。【０００９】ペンダントトップが人体動作と共に揺れ動く構造物品は、優れた機能美を持ち合い、これは商品として多く有る。【００１０】然し、耳触りの良い印象が与えられる、音合わせが出来るペンダントトップが実現すればネックレスとして心地良い感触をもたらす。【００１１】ネックレスに音を挿入して面白い効果を有する構造を提供する。
【課題を解決するための手段】
【００１２】鉄または真鍮の球体１の内部に穴２を設けてなる。【００１３】数個の球体を、貝殻３の口内部４に導入し、アルミ盤５にて蓋６をして成る。【００１４】前記貝殻は、磨き７上げた貝殻３であり透孔８を多数設け、且つ細い先端方に連結金具取り付けＣカン９を設けている。【００１５】本考案貝殻は、ネックレス最下端に連結金具１０にて連結する。【００１６】人体首部１１にネックレス本体１２を掛けてなる。
【考案の効果】
【００１７】上述の様に貝殻内部に真鍮の球体が多数入っている故に、貝殻を振るまたは貝殻の動作があると、球体が上下または左右の動きにより、音を発する。【００１８】球体に穴がある故に音色を有し、貝殻の小孔から発する。
【図面の簡単な説明】
【００１９】
【図１】一部切欠いた本考案全体の斜視図。
【図２】一部切欠き球体動作を示す貝殻要部斜視図。
【図３】球体の内部穴を示す貝殻要部断面図。
【考案を実施するための形態】
【００２０】穴を設けた球体を内部に多数投入し、アルミ盤にて蓋をしてなる貝殻の側面に多数の透孔を設けると共に、細い先端方に連結Ｃカンを固着してなる。
【００２１】前記ペンダントトップの貝殻をネックレス部分と連結する。
【実施例】
【００２２】以下、添付図面に従って一実施例を説明する。内部４の空間をウレタン塗装したアラレ貝・ミクリ貝・ナガニシ貝・及び本考案一例とすれば外部分を磨き７上げたバイ貝３（長さ５０ＭＭ・巾３０ＭＭ）を本体として使用する。【００２３】５個数の真鍮球体１（直径６ＭＭ）に直径２．５ＭＭの穴２を穿ってなる球を貝内部３に投入し、アルミ盤５（１ＭＭ〜３ＭＭ厚）にて入口を覆い蓋６を全面固着してなる。【００２４】バイ貝の胴体部に多数の透孔（直径２ＭＭ）を設けて音感出口を構成し、上方に連結金具取り付けＣカン９を設ける。【００２５】ネックレスと連結金具にて連結したペンダントトップである。
【符号の説明】
【００２６】  １  球体
２  穴
３  貝殻
４  口内部
５  アルミ盤
６  蓋
７  磨き
８  透孔
９  連結金具取り付けＣカン
１０  連結金具
１１  人体首部
１２  ネックレス本体
【図１】
0003194749.tif 000003
【図２】
0003194749.tif 000004
【図３】
0003194749.tif 000005
(57)【要約】      （修正有）【課題】外観を損なわず、防風性を持たせたセーターを提供する。【解決手段】前身頃、後身頃からなる防風セーターにおいて、前身頃、後身頃をそれぞれ２枚の編地でから形成し、２枚の編地の肌面の編地に風を通さないプリントまたはフィルムを貼付けた、または、２枚の編地で風を通さないフィルムを挟み込んだ。【選択図】図１
0003194741.tif 000002
【実用新案登録請求の範囲】
【請求項１】
セーターとしての外観を維持した上で防風機能を兼ね備えたセーター
【考案の詳細な説明】
【技術分野】
【０００１】      本考案は、見た目は、どこから見てもセーターなのですが、編み物なのに風が侵入      してこないセーターに関するものです。
【背景技術】
【０００２】現在販売されている防風セーターと言われる商品のほとんどが、防風性の有る裏地を縫製（ミシンで縫い付ける）して付けている為、外観にも裏地等の異素材が見えてしまう。ニットは、ループの組み合わせによる編み物なので、どんなに細かく編んでも、風を通すと言うのが、一般的な考え方である。
【考案の概要】
【考案が解決しようとする課題】
【０００３】外観上、防風性がわからない事。ニットの特徴であるリンキング（編み目と編み目を編み合わせる手法）だけで、作成出来る事。
【課題を解決するための手段】
【０００４】防風性のあるものを隠し、ニット作成工程以外の手法を使わない（裁断物をロックミシン等ではぎ合わせるとセーターでは無く、カット＆ソー（ＣＵＴ＆ＳＡＷＩＮＧ）の分類になってしまう。
【考案の効果】
【０００５】セーターの外観、手法で作成したセーターになる。
【図面の簡単な説明】
【０００６】
【図１】２枚の編地を１枚の防風編地を作成する方法を説明した図である。
【図２】ニット製造工程で作成後の従来商品との違いを記述した図である。
【考案を実施するための形態】
【０００７】二枚の編地を作成し、２枚面（肌面）側の編地に風を通さないプリントまたは、フィルム等を貼付ける、または、挟む。２枚を裏側で、はぎ合わせ、１枚の編地として使用する。編地に直接、プリント等の加工をする事により、編み地に機能性を持たせ、リンキングで編み合わせる。
【実施例】
【０００８】      図１で説明している通り、防風性の有る１枚の編地を作成する。【０００９】      後は、通常のセーターの工程（リンキング）で身頃、袖等を編み合わせていく。
図２参照
【産業上の利用可能性】
【００１０】      セーターと言われる横編み機ので作成する、編み地だけを編み合わせた製品のすべ      てに防風機能を付ける事が出来る。
【図１】
0003194741.tif 000003
【図２】
0003194741.tif 000004
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
前身頃、後身頃からなる防風セーターにおいて、前身頃、後身頃をそれぞれ２枚の編地でから形成し、２枚の編地の肌面の編地に風を通さないプリントまたはフィルムを貼付けた、または、２枚の編地で風を通さないフィルムを挟み込んだ事を特徴とするセーター。